(57)【要約】      （修正有）【課題】非接触ICカードのスキミングを防止するクレジットカードサイズのスキミング防止カードを提供する。【解決手段】２枚の張り合わされた紙４の間に、非接触ICカード６のカードリーダと非接触ICカード６との電磁的な結合状態を規制する電磁規制体３を挟み込んで形成されてなる紙シート２をクレジットカードサイズのカード状とし、非接触ICカード６に対して重ね合わされることによって、上記両者の電磁的な結合状態を規制してスキミングを防止するスキミング防止カード。電磁規制体３は電磁波を遮蔽する材料、例えばアルミニウムシートからなる。【選択図】図５
0003119493.tif 000002
【実用新案登録請求の範囲】
【請求項１】
クレジットカードサイズのカード状の紙シート（２）からなり、該紙シート（２）が、２枚の張り合わされた紙（４）の間に、非接触ICカード（６）のカードリーダと非接触ICカード（６）との電磁的な結合状態を規制する電磁規制体（３）を挟み込んで形成されてなり、非接触ICカード（６）に対して重ね合わされることによって、上記両者の電磁的な結合状態を規制してスキミングを防止するスキミング防止カード。
【請求項２】
紙シート（２）が、非接触ICカード（６）の表裏いずれか一方側に重ね合わされた状態で、カードリーダと非接触ICカード（６）との電磁的な結合状態を規制するシートである請求項１のスキミング防止カード。
【請求項３】
紙シート（２）が、非接触ICカード（６）に近接した状態での重ね合わせによって、カードリーダと非接触ICカード（６）との電磁的な結合状態を規制するシートである請求項１又は２のスキミング防止カード。
【請求項４】
電磁規制体（３）が、電磁波を遮蔽する材料からなる請求項１又は２又は３のスキミング防止カード。
【請求項５】
電磁波を遮蔽する材料が、アルミニウムシートである請求項４のスキミング防止カード。
【請求項６】
紙シート（２）の表裏少なくとも一方の紙が、印刷又は描きこみ可能な紙である請求項１又は２又は３又は４のスキミング防止カード。
【請求項７】
紙シート（２）の表裏少なくとも一方の紙（４）に、絵画又は芸術作品又は漫画又は文字又は広告が印刷又は描かれた請求項６のスキミング防止カード。
【考案の詳細な説明】
【技術分野】
【０００１】
本考案は、非接触ICカードのスキミングを防止するスキミング防止カードに関する。
【背景技術】
【０００２】
近年カード情報や個人情報、金銭情報等が記憶された非接触タイプのICカード（非接触ICカード）が一般的に使用されている。例えばクレジットカードやSuica（登録商標）、Edy（登録商標）等が知られている。
【０００３】
上記非接触ICカードのカードリーダは、非接触ICカードから所定距離離れた状態でカードに記憶されている情報を非接触で読み取ることができる。カードリーダ側のコイルと非接触ICカード側のコイルとの交流磁界による相互誘導を利用するタイプ（電磁結合方式）や、カードリーダ側のコイルと非接触ICカード側のコイルとの間の電磁誘導を利用するタイプ（電磁誘導方式）等が一般的となっている。誘導起電力を電源として使用することによってバッテリーを必要としない非接触ICカードも一般的である。
【０００４】
上記のように非接触ICカードは、カードリーダによって非接触で情報が読み取られる。このため近年カードリーダと同様の機能を持つスキマーによって非接触ICカードの情報を不正に取得するスキミングという問題が起きている。
【０００５】
非接触ICカードは、例えば財布や定期入れの中、あるいはバッグの中に入れられていても、スキマーとの間で相互誘導や電磁誘導が発生する。このため、非接触ICカードが財布，定期入れ，カードケース、あるいはバッグの中に入れられた状態のまま人ごみの中でスキミングされ、非接触ICカードの使用者が気付かないまま情報が読み取られて流出したり不正使用されたりする場合がある。
【０００６】
これに対して非接触ICカードをスキミングが不可能なように保持するICカードホルダが公知となっている（例えば特許文献１の特に「００１９」〜「００２１」及び図４参照）。非接触ICカードを上記ICカードホルダに収容して携帯することによって、例えばバッグの中に入れた非接触ICカードが、気付かない間にスキミングされるということを防止することができる。
【特許文献１】特開平１１−３４８４７１号公報
【考案の開示】
【考案が解決しようとする課題】
【０００７】
上記ICカードホルダは、当然非接触ICカードをICカードホルダに収容することによって、当該非接触ICカードのスキミングを防止することができる。このため例えば上記Suicaを利用する場合、スキミング防止の観点から裸のSuica（ICカードホルダに収容されていない状態のSuica）を利用者が任意の定期入れにいれることはできない。
【０００８】
また非接触ICカードを正規に使用する場合、例えばSuicaの利用者が、所謂「タッチ＆ゴー」で改札を通過する場合は、非接触ICカード（Suica）をいったんICカードホルダから取り出す必要がある。以上のようにICカードホルダを使用する環境が限られたものとなるという欠点があった。
【課題を解決するための手段】
【０００９】
上記課題を解決するための本考案のスキミング防止カードは、クレジットカードサイズのカード状の紙シート２からなり、該紙シート２が、２枚の張り合わされた紙４の間に、非接触ICカード６のカードリーダと非接触ICカード６との電磁的な結合状態を規制する電磁規制体３を挟み込んで形成されてなり、非接触ICカード６に対して重ね合わされることによって、上記両者の電磁的な結合状態を規制してスキミングを防止することを第１の特徴としている。
【００１０】
第２に、紙シート２が、非接触ICカード６の表裏いずれか一方側に重ね合わされた状態で、カードリーダと非接触ICカード６との電磁的な結合状態を規制するシートであることを特徴としている。
【００１１】
第３に、紙シート２が、非接触ICカード６に近接した状態での重ね合わせによって、カードリーダと非接触ICカード６との電磁的な結合状態を規制するシートであることを特徴としている。
【００１２】
第４に、電磁規制体３が、電磁波を遮蔽する材料からなることを特徴としている。
【００１３】
第５に、電磁波を遮蔽する材料が、アルミニウムシートであることを特徴としている。
【００１４】
第６に、紙シート２の表裏少なくとも一方の紙が、印刷又は描きこみ可能な紙であることを特徴としている。
【００１５】
第７に、紙シート２の表裏少なくとも一方の紙４に、絵画又は芸術作品又は漫画又は文字又は広告が印刷又は描かれたことを特徴としている。
【考案の効果】
【００１６】
以上のように構成される本考案のスキミング防止カードは、紙シートからなり、内部に電気回路等を持たないため、軽量且つ安価であり、非接触ICカードに重ねることによって、簡単にスキミングを防止することができるという効果がある。
【００１７】
特に紙シートを、非接触ICカードの表裏いずれか一方側に重ね合わされた状態で、カードリーダと非接触ICカードとの電磁的な結合状態を規制するシートとすることによって、スキミング防止カードを重ね合わせた反対側の面からのスキミングを防止することもできる。
【００１８】
そして紙シートを、非接触ICカードに近接した状態での重ね合わせによって、カードリーダと非接触ICカードとの電磁的な結合状態を規制するシートとすることによって、例えば２つ折りの財布や定期入れやカードケース等に非接触ICカードとスキミング防止カードとを入れる場合、財布や定期入れやカードケース等を折り曲げると、非接触ICカードとスキミング防止カードとが近接して重なり合う場所にスキミング防止カードを入れることによって、財布や定期入れやカードケース等が折り曲げられた状態のときだけスキミングを防止することができる。
【００１９】
このため本来読み込ませる必要があるカードリーダに非接触ICカードを読み込ませる場合は、財布や定期入れやカードケース等を開いて非接触ICカードをカードリーダに読み込ませることができ、非接触ICカードの使用状態とスキミング防止状態とを簡単に切り換えることができる。
【００２０】
なお電磁規制体を、電磁波を遮蔽する材料、例えばアルミニウムシートとすることによって、電磁波シールドにより非接触ICカードのスキミングを簡単に防止することができる。特に材料がアルミニウムである場合、13.56MHzの電磁波のシールド効果が高く、キャリアに13.56MHzの電磁波を使用する非接触ICカードのスキミングを効率的に防止することができる。
【００２１】
そして紙シートの表裏少なくとも一方の紙を、印刷又は描きこみ可能な紙とし、該紙に絵画又は芸術作品又は漫画又は文字又は広告を印刷又は描いた場合、スキミング防止カード自体を広告媒体としたり、スキミング防止カード自体に、芸術的な価値や文学的な価値を持たせたりすることができる。
【考案を実施するための最良の形態】
【００２２】
図１は本考案のスキミング防止カード１の平面図である。該スキミング防止カード１は、クレジットカードサイズ（54x86mm）の紙シートからなる。図２に示されるように、該紙シート２は、非接触ICカードの近傍に位置してカードリーダのアンテナ（コイル）とICカードのアンテナ（コイル）との電磁誘導や電磁結合、あるいは電波による通信が可能な状態を含む両者の電磁的な結合状態を規制する電磁規制材料をシート状にし、該電磁規制材料のシート（電磁規制材シート３）の表裏両面に紙４を貼着して形成されたものとなっている。
【００２３】
本実施形態においては、電磁規制材シート３は、7μm程度の厚さのアルミニウムからなるシート（アルミシート）である。アルミシートは電磁波のシールド（遮蔽）効果が高く、電磁波シールドによって、カードリーダのコイルとICカードのコイルとの上記電磁的な結合状態を規制する。上記アルミシートの表裏両面に貼着される紙４は、互いに同質のものが使用される。これにより紙シート２の反り等が防止される。
【００２４】
図３に示されるように、アドバンテストR3361Cスペクトラムアナライザによる電磁波遮蔽測定（アドバンテスト）の結果、上記紙シート２の使用により、13.6MHzの電磁波のシールド性がブランク状態の-10.02dbから-44.40dbに向上した。その差が34.38dbであり、一般的にその差が30db以上で電磁波の遮蔽効果があるとされるため、本スキミング防止カード１に使用される上記紙シート２は電磁波の遮蔽効果があるといえる。
【００２５】
図４に示されるように、本スキミング防止カード１を非接触ICカード６と重ね合わせると、上記電磁波シールドによって、該ICカード６のコイルとカードリーダのコイルとが電磁的な結合状態とならないため、上記ICカード６からカードリーダに情報が送信されることはない。
【００２６】
スキマーは、カードリーダと同様に非接触ICカードとの電磁的な結合によって非接触ICカードから情報を盗み取るものであるため、本スキミング防止カード１によって、非接触ICカード側との電磁的な結合が規制され、非接触ICカード６のスキミングが防止される。本スキミング防止カード１は、紙シート２が材料であることに加え、電気回路等を持たないため、安価且つ軽量である。
【００２７】
なお本スキミング防止カード１は、アルミシートによる電磁波シールドによってスキミングを防止する構成であるため、本スキミング防止カード１は、非接触ICカード６の表裏どちら側に重ね合わせても、該ICカード６のコイルとカードリーダ（スキマー）のコイルとの電磁的な結合状態を規制する。
【００２８】
このためスキミング防止カード１を非接触ICカード６の表裏どちら側に重ね合わせてもスキミングを防止することができる。つまりスキミング防止カードを重ね合わせた反対側の面からのスキミングを防止することができる。
【００２９】
例えば図５に示されるように、カードケース７に非接触ICカード６とスキミング防止カード１とを重ね合わせて収納することによって、カードケース７をバッグ等に入れて携帯していても、携帯中にスキミングされることはない。なおスキミング防止カード１は紙シート２からなり、厚さが0.1mm程度と薄いため、非接触ICカード６とともに、カードケース７に容易に重ねて挿入することができる。
【００３０】
また上記のようにアルミシートによる電磁波シールドによってスキミングを防止する構成であるため、スキミング防止カード１と非接触ICカードとが近接した状態で重ね合わされていても、カードリーダやスキマーと非接触ICカード６との電磁的な結合状態を規制する。本実施形態においては、非接触ICカード６とスキミング防止カード１とが概ね7mm程度離れて重ねられても、上記のようにスキミングを防止することができる。
【００３１】
このためスキミング防止カード１を非接触ICカード６が入れられている財布や定期入れ、カードケース等に入れてスキミングを防止する場合、非接触ICカード６とスキミング防止カード１とを密着させて１つのカード挿入部分に入れる必要はない。
【００３２】
例えば図６に示されるような２つ折りのカードケース８の所定のカード挿入部９に、非接触ICカード６が挿入されている場合、カードケース８を折り畳むと上記カード挿入部９に挿入されたICカード６と重なり合うカード挿入部１１に、図７，図８に示されるように、スキミング防止カード１を挿入することができる。
【００３３】
これにより上記のように非接触ICカード６とスキミング防止カード１とが挿入されたカードケース８は、図９に示されるように、折り曲げた状態のときのみ、非接触ICカード６とスキミング防止カード１とが重なり合い、図８に示されるようにカードケース８を開いた状態とすると、非接触ICカード６とスキミング防止カード１とが重ならない。
【００３４】
この場合、カードケース８を折り畳んだ状態でバック等の中に入れて携帯するとスキミングが防止され、本来読み込ませる必要があるカードリーダに非接触ICカード６を読み込ませる場合は、カードケース８を開いて非接触ICカード６をカードリーダに読み込ませることができ、非接触ICカード６の使用状態とスキミング防止状態とを簡単に切り換えることができる。なおカードケース８を折り畳んだ状態で、非接触ICカード６とスキミング防止カード１とが概ね7mm程度以内で重なり合う必要がある。
【００３５】
上記スキミング防止カード１は、表裏両面が紙であるため、表裏両面への印刷を簡単に行うことができる。これによりスキミング防止カード１を広告の媒体として使用することができる。また絵画や芸術作品を描く際のカンバスの代わりに使用して絵画や芸術作品が描かれたものや、絵画や芸術作品が印刷されたものとすることもできる。
【００３６】
この場合スキミング防止カード１自体に芸術的な価値を持たせたり、描かれる内容に応じてチャーム（お守り）やアミュレット（魔除け）等とすることもできる。その他アルバム代わりに写真の印刷を行ったり、四コマ漫画や読み物を印刷して文学的な価値を持たせることもできる。
【００３７】
スキミング防止カード１は、前述のように、非接触ICカード６のコイルとカードリーダのコイルとの電磁的な結合状態を規制する。ただしスキミング防止カード１と非接触ICカード６との重なり度合いによって、上記規制度合いが変化する。本スキミング防止カード１は、非接触ICカード６の電源供給が不可能となったり、データ送受信の通信が不可能となる程度、上記電磁的な結合状態を規制すればよい。
【００３８】
このため、スキミングを防止するために、スキミング防止カード１と非接触ICカード６とが完全に重なり合っている必要はない。多少のズレは許容される。このためスキミング防止カード１を非接触ICカード６と略同一のサイズ、例えば本件のようにクレジットカードサイズとすることができ、このサイズであっても上記のようにスキミングを防止することができる。
【００３９】
上記スキミング防止カード１は、キャリアに13.56MHzの電磁波を使用する非接触ICカードにおいてスキミングを防止するために、上記紙シート２によって形成されている。このため他の周波数を使用した非接触ICカードのスキミングを防止するために、上記アルミシートの代わりに、25μm程度の厚さの鉄板（シート）の表裏両面に紙を貼着した紙シートを使用してもよい。
【図面の簡単な説明】
【００４０】
【図１】本スキミング防止カードの平面図である。
【図２】紙シートの構造を示す側面概念図である。
【図３】アドバンテストの結果を示す表図である。
【図４】スキミング防止カードによる非接触ICカードのスキミング防止状態を示す平面図である。
【図５】スキミングを防止するためにカードケースにスキミング防止カードと非接触ICカードとを重ね合わせて挿入する状態を示す平面図である。
【図６】折り畳みタイプのカードケースに非接触ICカードを挿入した状態を示す平面図である。
【図７】非接触ICカードが挿入された折り畳みタイプのカードケースにスキミング防止カードを挿入する状態を示す平面図である。
【図８】非接触ICカードとスキミング防止カードとが挿入されたカードケースの開いた状態を示す平面図である。
【図９】非接触ICカードとスキミング防止カードとが挿入されたカードケースの折り畳み状態を示す平面図である。
【符号の説明】
【００４１】
２  紙シート
３  電磁規制材シート（電磁規制体）
４  紙
６  非接触ICカード
【図１】
0003119493.tif 000003
【図２】
0003119493.tif 000004
【図３】
0003119493.tif 000005
【図４】
0003119493.tif 000006
【図５】
0003119493.tif 000007
【図６】
0003119493.tif 000008
【図７】
0003119493.tif 000009
【図８】
0003119493.tif 000010
【図９】
0003119493.tif 000011